(57)【特許請求の範囲】
【請求項１】
光源から射出された光を、入力される画像情報に応じて変調して光学像を形成し、形成した光学像を拡大投射するプロジェクタ本体と、前記プロジェクタ本体に前記画像情報を出力する画像出力装置とを備えるプロジェクタであって、
前記プロジェクタ本体および前記画像出力装置は、互いに対向して配置され、
前記プロジェクタ本体と前記画像出力装置の間に介在して当該プロジェクタ本体および当該画像出力装置を連結させる連結機構を備え、
前記連結機構は、
前記プロジェクタ本体または前記画像出力装置のいずれか一方に固定される板状部材と、
前記板状部材に固定されるとともに、前記プロジェクタ本体または前記画像出力装置のいずれか他方に形成された略円形状の取付側開口部に挿通され、当該板状部材を、前記他方に対して回転自在とさせる断面略円形状の回転部材とを備え、
前記回転部材は、
断面略円形状の回転部材本体と、
前記回転部材本体における前記取付側開口部への挿通方向先端側に、外側に向って延出して設けられる延出部とを備え、
前記連結機構は、
前記回転部材本体の外径と略同じ内径を有する平板状の円環部材が分割された複数の分割円環部材を備え、
前記複数の分割円環部材は、前記回転部材が前記取付側開口部に挿通された状態において、互いに組み合わされることで前記回転部材本体に当接し、当該取付側開口部の周縁に固定されることを特徴とするプロジェクタ。
【請求項２】
請求項１に記載のプロジェクタにおいて、
前記回転部材は、略円筒形状を有し、
前記板状部材には、前記取付側開口部と対向する位置に部材側開口部が形成され、
前記一方には、前記取付側開口部と対向する位置に固定側開口部が形成されていることを特徴とするプロジェクタ。
【請求項３】
請求項１または請求項２に記載のプロジェクタにおいて、
前記プロジェクタ本体および前記画像出力装置は、鉛直方向に積層して配置され、
外部からケーブルを接続するためのコネクタを備え、
前記コネクタは、下方側に配置される前記プロジェクタ本体または前記画像出力装置に設けられていることを特徴とするプロジェクタ。
【発明の詳細な説明】
【技術分野】
【０００１】
本発明は、プロジェクタに関する。
【背景技術】
【０００２】
従来、光源から射出された光を、入力される画像情報に応じて変調して光学像を形成し、形成された光学像を拡大投射するプロジェクタ本体と、このプロジェクタ本体に画像情報を出力する画像出力装置とを備えるプロジェクタが知られている（例えば、特許文献１参照）。
特許文献１に記載のプロジェクタでは、画像出力装置（ＤＶＤ（Digital Versatile Disk）プレーヤー）の上に、プロジェクタ本体が区画部材を介して載置されている。そして、ＤＶＤプレーヤーの背面には、ＤＶＤを投入するためのＤＶＤ投入部や、音声を出力するスピーカなどが設けられている。
【０００３】
ところで、このような画像出力装置と、プロジェクタ本体とが一体化されたプロジェクタは、主に家屋等における室内で用いられ、プロジェクタの使用者は、室内の広さや、スクリーンの大きさ及び設置場所などに応じて、自身の前方、後方、側方など様々な場所にプロジェクタを設置して使用している。
【０００４】
【特許文献１】特開２００６−７２０３７号公報
【発明の開示】
【発明が解決しようとする課題】
【０００５】
しかしながら、特許文献１に記載のプロジェクタでは、ＤＶＤ投入部の位置がプロジェクタの投射側とは反対側に固定されているため、プロジェクタの使用者は、例えば、自身の後方や、側方などの場所にプロジェクタ設置した場合に、操作部の位置が遠くなり、操作性が低下するという問題があった。
【０００６】
本発明の目的は、設置状況に応じて操作部の位置を自由に変更することを可能とし、設置自由度を向上させるプロジェクタを提供することにある。
【課題を解決するための手段】
【０００７】
本発明のプロジェクタは、光源から射出された光を、入力される画像情報に応じて変調して光学像を形成し、形成した光学像を拡大投射するプロジェクタ本体と、前記プロジェクタ本体に前記画像情報を出力する画像出力装置とを備えるプロジェクタであって、前記プロジェクタ本体および前記画像出力装置は、互いに対向して配置され、前記プロジェクタ本体と前記画像出力装置の間に介在して当該プロジェクタ本体および当該画像出力装置を連結させる連結機構を備え、前記連結機構は、前記プロジェクタ本体または前記画像出力装置のいずれか一方に固定される板状部材と、前記板状部材に固定されるとともに、前記プロジェクタ本体または前記画像出力装置のいずれか他方に形成された略円形状の取付側開口部に挿通され、当該板状部材を、前記他方に対して回転自在とさせる断面略円形状の回転部材とを備え、前記回転部材は、断面略円形状の回転部材本体と、前記回転部材本体における前記取付側開口部への挿通方向先端側に、外側に向って延出して設けられる延出部とを備え、前記連結機構は、前記回転部材本体の外径と略同じ内径を有する平板状の円環部材が分割された複数の分割円環部材を備え、前記複数の分割円環部材は、前記回転部材が前記取付側開口部に挿通された状態において、互いに組み合わされることで前記回転部材本体に当接し、当該取付側開口部の周縁に固定されることを特徴とする。
【０００８】
ここで、画像出力装置としては、例えば、ＤＶＤプレーヤー、ビデオプレーヤー、テレビチューナーなどが挙げられる。
このような構成によれば、連結機構は、板状部材と、回転部材とを備えるので、プロジェクタ本体と、画像出力装置とを回転自在とさせることができる。すなわち、例えば、プロジェクタ本体を上方側、画像出力装置を下方側に対向して配置し、板状部材をプロジェクタ本体に固定し、回転部材を画像出力装置に取り付けることで、プロジェクタを設置した状態において、上方側に配置されたプロジェクタ本体を下方側に配置された画像出力装置に対して回転させることができる。
【０００９】
したがって、例えば、画像出力装置にＤＶＤ投入部などの操作部や、ＤＶＤの動作状態を表示する表示部などが設けられている場合には、プロジェクタの使用者は、画像出力装置における操作部および表示部が設けられた面を自身の方向に向けてプロジェクタを設置し、プロジェクタ本体による光学像の投射方向をスクリーン等の投射面の方向に向けることができる。すなわち、プロジェクタの使用者は、プロジェクタの設置状況に応じて操作部および表示部の位置を自由に変更することができる。
【００１０】
また、回転部材は、断面略円形状を有し、プロジェクタ本体または画像出力装置のいずれか他方に形成された取付側開口部に挿通されるので、簡素な構成により、板状部材を、取付側開口部に沿って回転自在とさせることができる。
さらに、回転部材は、回転部材本体と、延出部とを備え、複数の分割円環部材は、回転部材が取付側開口部に挿通された状態において、互いに組み合わされることで回転部材本体に当接し、取付側開口部の周縁に固定されるので、回転部材を、取付側開口部への挿通方向とは反対側に引き出した際に、回転部材における延出部は、分割円環部材に当接する。したがって、回転部材の取付側開口部からの抜けを防止することができる。さらに、回転部材本体は、板状部材に固定されるとともに、分割円環部材にて挟持されるので、板状部材を、分割円環部材に沿って回転自在とさせることができる。
【００１１】
本発明では、前記回転部材は、略円筒形状を有し、前記板状部材には、前記取付側開口部と対向する位置に部材側開口部が形成され、前記一方には、前記取付側開口部と対向する位置に固定側開口部が形成されていることが好ましい。
【００１２】
このような構成によれば、プロジェクタ本体と、画像出力装置とは、各開口部および回転部材により連通するので、例えば、画像出力装置から出力される画像情報をプロジェクタ本体に伝送するための画像ケーブル等の信号線を、回転部材を介してプロジェクタ本体および画像出力装置に接続することができる。したがって、プロジェクタの使用者は、画像出力装置から出力される画像情報をプロジェクタ本体に伝送するための画像ケーブル等の信号線を外部に接続することなく、プロジェクタを使用することができる。また、プロジェクタの外部に信号線を引き回す必要がなくなるので、省スペース化を図ることができる。さらに、各開口部および回転部材により連通された空間を介して信号線が接続されるので、プロジェクタ本体が回転しても信号線が絡まることがなくスムーズに回転させることができる。
【００１５】
本発明では、前記プロジェクタ本体および前記画像出力装置は、鉛直方向に積層して配置され、外部からケーブルを接続するためのコネクタを備え、前記コネクタは、下方側に配置される前記プロジェクタ本体または前記画像出力装置に設けられていることが好ましい。
【００１６】
このような構成によれば、例えば、ＡＣ（Alternating Current）電源ケーブルのインレットコネクタなどの外部からケーブルが接続されるためのコネクタは、下方側に配置されるプロジェクタ本体または画像出力装置に設けられる。したがって、例えば、プロジェクタ本体を上方側、画像出力装置を下方側に鉛直方向に積層して配置した場合において、プロジェクタ本体を画像出力装置に対して回転させる際に、ケーブルが絡まることなどなく、スムーズに回転させることができる。
【発明を実施するための最良の形態】
【００２０】
以下、本発明の一実施形態を図面に基づいて説明する。
〔プロジェクタの概略構成〕
図１は、プロジェクタ１を前方側から見た斜視図であり、図２は、プロジェクタ１を後方側から見た斜視図である。なお、図１〜図２では、説明の便宜上、プロジェクタ１の後方側から前方側に向かう方向をＸ軸とし、このＸ軸に直交する２軸をそれぞれＹ軸（水平軸）およびＺ軸（垂直軸）とする。以下の図面についても同様である。
プロジェクタ１は、図１〜図２に示すように、光源から射出された光を、入力される画像情報に応じて変調して光学像を形成し、形成した光学像を拡大投射するプロジェクタ本体２と、プロジェクタ本体２に画像情報を出力するＤＶＤプレーヤー３と、プロジェクタ本体２およびＤＶＤプレーヤー３を回転自在に連結させる連結機構４と、プロジェクタ本体２およびＤＶＤプレーヤー３の回転を規制する回転規制機構５とを備える。
【００２１】
プロジェクタ本体２は、図１および図２に示すように、ＤＶＤプレーヤー３の上方側（＋Ｚ軸方向側）に載置され、略直方体状に形成された上方側筐体２１と、上方側筐体２１の前面（＋Ｘ軸方向側の面）に露出する投射レンズ２２と、上方側筐体２１の上面（＋Ｚ軸方向側の面）の後方側（−Ｘ軸方向側）に設けられた操作パネル２３とを備える。この操作パネル２３は、プロジェクタ１の起動・調整等の操作およびＤＶＤプレーヤー３の再生・停止等の操作を実施するためのものである。ＤＶＤプレーヤー３は、このＤＶＤ操作パネル２３が操作されることで、ＤＶＤプレーヤー３に挿入された記録媒体に記録された画像情報等の再生・停止等を実施する。なお、投射レンズ２２については後に詳述する。
【００２２】
画像出力装置としてのＤＶＤプレーヤー３は、デジタルデータとして画像情報等が記録されたＤＶＤ等の記録媒体を再生することで、記録媒体に記録された画像情報等を、画像ケーブル（図示略）を介してプロジェクタ本体２に出力するものである。このＤＶＤプレーヤー３は、図１および図２に示すように、プロジェクタ本体２の下方側（−Ｚ軸方向側）に配置され、略直方体状に形成された下方側筐体３１と、下方側筐体３１の前面の略中央部分に設けられたＤＶＤ挿抜口３２と、ＤＶＤ挿抜口３２の下方側に設けられたＤＶＤ動作表示部３３と、下方側筐体３１の背面（−Ｘ軸方向側の面）に設けられたインタフェースカバー３４およびインレットコネクタ３５とを備える。
【００２３】
ＤＶＤ挿抜口３２は、ＤＶＤ等の記録媒体が挿入されるスロットインタイプの挿入部であり、ＤＶＤプレーヤー３は、このＤＶＤ挿抜口３２に挿入された記録媒体に記録された画像情報等を再生する。また、ＤＶＤ挿抜口３２の側方には、記録媒体を排出する為の排出スイッチ３２Ａが取り付けられている。
ＤＶＤ動作表示部３３は、ＤＶＤプレーヤー３の再生・停止等の状態を表示する部分であり、使用者は、このＤＶＤ動作表示部３３を見ることで記録媒体の再生・停止等の状態を確認することができる。
【００２４】
インタフェースカバー３４の内部には、図示は省略するが、例えば、プロジェクタ１に外部から画像情報を入力するための画像入力端子などの各種インタフェースコネクタが設けられており、インタフェースカバー３４は、これらのインタフェースコネクタを保護する。そして、このインタフェースカバー３４を開放することで、各種インタフェースコネクタを利用することができる。なお、インタフェースカバー３４は省略してもよい。
インレットコネクタ３５は、ＡＣ電源ケーブルを外部から接続するためのコネクタであり、インタフェースカバー３４に覆われることなく露出している。
すなわち、各種インタフェースコネクタおよびインレットコネクタ３５は、下方側のＤＶＤプレーヤー３に設けられている。
【００２５】
図３はプロジェクタ本体２の概略構成を示す図である。
プロジェクタ本体２は、図３に示すように、画像投射手段６と、冷却装置７と、電源装置８とを備える。
画像投射手段６は、平面視略Ｌ字形状を有し、入力される画像情報に基づく光学像を形成して拡大投射するものである。この画像投射手段６は、光源装置６１と、照明光学装置６２と、色分離光学装置６３と、リレー光学装置６４と、光学装置６５と、投射レンズ２２とを備える。
【００２６】
光源装置６１は、照明光学装置６２に向けて光束を射出するものである。この光源装置６１は、一対の電極６１１Ａ間で放電発光が行われる光源ランプ６１１と、主反射鏡６１２と、平行化レンズ６１３とを備える。
光源ランプ６１１から放射された光束は、主反射鏡６１２により光源装置６１の前方側に射出方向を揃えて集束光として射出される。そして、主反射鏡６１２により射出された集束光は、平行化レンズ６１３によって平行化され、照明光学装置６２に向けて射出される。
なお、本実施形態では、主反射鏡６１２を楕円面リフレクタとして構成しているが、光源ランプ６１１から射出された光束を略平行化して反射するパラボラリフレクタとして構成してもよい。この場合には、平行化レンズ６１３を省略した構成とすることができる。
【００２７】
照明光学装置６２は、第１レンズアレイ６２１、第２レンズアレイ６２２、偏光変換素子６２３、および重畳レンズ６２４を備える。光源装置６１から射出された光束は、第１レンズアレイ６２１によって複数の部分光束に分割され、第２レンズアレイ６２２の近傍で結像する。そして、第２レンズアレイ６２２から射出された各部分光束は、その中心軸（主光線）が偏光変換素子６２３の入射面に垂直となるように入射し、偏光変換素子６２３にて略１種類の直線偏光光として射出される。偏光変換素子６２３から直線偏光光として射出された複数の部分光束は、重畳レンズ６２４を介して光学装置６５の後述する３枚の液晶パネル６５１上で重畳する。
【００２８】
色分離光学装置６３は、２枚のダイクロイックミラー６３１，６３２、および反射ミラー６３３を備え、これらのダイクロイックミラー６３１，６３２と、反射ミラー６３３とにより照明光学装置６２から射出された複数の部分光束を赤、緑、青の３色の色光に分離する。
リレー光学装置６４は、入射側レンズ６４１、リレーレンズ６４３、および反射ミラー６４２，６４４を備え、色分離光学装置６３で分離された色光、例えば、赤色光を光学装置６５の後述する赤色光側の液晶パネル６５１Ｒまで導く。
【００２９】
光学装置６５は、入射した光束を画像情報に応じて変調して光学像（カラー画像）を形成する。この光学装置６５は、３つの液晶パネル６５１（赤色光側の液晶パネルを６５１Ｒ、緑色光側の液晶パネルを６５１Ｇ、青色光側の液晶パネルを６５１Ｂとする）と、各液晶パネル６５１の光路前段側に配置される入射側偏光板６５２と、各液晶パネル６５１の光路後段側に配置される射出側偏光板６５３と、クロスダイクロイックプリズム６５４とを備える。
【００３０】
３つの入射側偏光板６５２は、色分離光学装置６３で分離された各色光のうち、偏光変換素子６２３で揃えられた偏光方向と略同一の偏光方向を有する偏光光のみ透過させ、その他の光束を吸収するものである。
３つの液晶パネル６５１は、一対の透明なガラス基板に電気光学物質である液晶が密閉封入された構成を有し、入力される画像情報に応じて液晶の配向状態が制御されることで、入射側偏光板６５２から射出された偏光光束の偏光方向を変調する。
３つの射出側偏光板６５３は、液晶パネル６５１を介して射出された光束のうち、一定方向の偏光光を透過し、その他の光束を吸収する。
【００３１】
クロスダイクロイックプリズム６５４は、射出側偏光板６５３から射出された各色ごとの変調光を合成してカラー画像を形成する。このクロスダイクロイックプリズム６５４は、４つの直角プリズムを貼り合わせた平面視略正方形状を有し、直角プリズム同士を貼り合わせた界面には、２つの誘電体多層膜が形成されている。これら誘電体多層膜は、液晶パネル６５１Ｇから射出され、射出側偏光板６５３を介した色光を透過し、液晶パネル６５１Ｒ，６５１Ｂから射出され、射出側偏光板６５３を介した各色光を反射する。これにより、各色光が合成されてカラー画像が形成される。
投射レンズ２２は、複数のレンズが組み合わされた組レンズとして構成され、クロスダイクロイックプリズム６５４で形成されたカラー画像を拡大投射する。
【００３２】
冷却装置７は、プロジェクタ本体２の内部を冷却するものである。この冷却装置７は、光源装置６１の光束射出方向とは反対側（−Ｙ軸方向側）に設けられた冷却ファン７１と、投射レンズ２２の両側（Ｙ軸方向両側）に設けられた冷却ファン７２，７３とを備える。
各冷却ファン７１〜７３は、所定の駆動電圧で駆動され、光源装置６１および投射レンズ２２を含むプロジェクタ本体２の各部を冷却する。
電源装置８は、光源装置６１の前方側（＋Ｘ軸方向側）に取り付けられ、インレットコネクタ３５に接続されたＡＣ電源ケーブルを介して供給されるＡＣ電源をＤＣ電源に変換してプロジェクタ本体２およびＤＶＤプレーヤー３に供給する。
【００３３】
図４は、プロジェクタ１を前方側から見た分解斜視図である。
連結機構４は、図４に示すように、プロジェクタ本体２の底板２４に固定される板状部材４１と、この板状部材４１に固定されるとともに、ＤＶＤプレーヤー３の天板３６に回転自在に取り付けられる回転部材４２と、この回転部材４２を天板３６に取り付ける複数の分割円環部材４３とを備える。
なお、図４では、上方側筐体２１から露出する投射レンズ２２（図１参照）や、下方側筐体３１に設けられたＤＶＤ挿抜口３２（図１参照）等の各部については図示を省略している。
【００３４】
板状部材４１は、平面視略十字形状に形成される板状の部材であり、略直交して四方に延出する４つの端部を有している。この板状部材４１の略中央位置には、回転部材４２が複数のネジ４４にて固定されている。
また、板状部材４１の各端部には、先端側の両端または一端に、複数の孔４１Ｂが形成されている。ここで、上方側筐体２１の底板２４には、板状部材４１の部材側開口部４１Ａ（図５参照）と対向する位置に、固定側開口部２４Ａが形成され、各孔４１Ｂと対向する位置に、板状部材４１を固定するための複数の雌ネジ孔（図示略）が形成されている。そして、板状部材４１は、各孔４１Ｂを介して底板２４の雌ネジ孔に、ネジ（図示略）を螺合することで、上方側筐体２１に固定されている。
【００３５】
回転部材４２は、略円筒形状の回転部材本体４２１と、この回転部材本体４２１の両端に、軸方向と略直交して外側に向かって延出して設けられる部材側延出部４２２および取付側延出部４２３とを備える。
ここで、下方側筐体３１の天板３６には、プレス成形等により、上方側に向かって突出する略円盤状の台座３６１が略中央位置に形成され、台座３６１における部材側開口部４１Ａと対向する位置には、略円形の取付側開口部３６１Ａが形成されている。すなわち、部材側開口部４１Ａ、取付側開口部３６１Ａ、固定側開口部２４Ａは、それぞれ対向して形成されている。
また、取付側開口部３６１Ａの周縁には、分割円環部材４３を固定するための雌ネジ孔３６１Ｂが４箇所に形成されている。そして、回転部材４２は、板状部材４１に固定された状態で取付側開口部３６１Ａに上方側から挿通される。
【００３６】
分割円環部材４３は、回転部材本体４２１の外径と略同じ内径を有する平板状の円環部材を２つの部分に分割した部材であり、回転部材４２を取付側開口部３６１Ａに挿通した状態における天板３６と、取付側延出部４２３との間隙と略同じ厚さに形成されている。また、分割円環部材４３には、天板３６の雌ネジ孔３６１Ｂと対向する位置に、天板３６に固定するための孔４３Ａが各２箇所に形成されている。
そして、分割円環部材４３は、天板３６と、取付側延出部４２３との間隙に回転部材本体４２１を挟み込むように挿入され、各孔４３Ａを介して雌ネジ孔３６１Ｂに、ネジ４３１（図６参照）を螺合することで固定されている。すなわち、分割円環部材４３は、回転部材４２が取付側開口部３６１Ａに挿通された状態において、互いに組み合わされることで回転部材本体４２１に当接し、取付側開口部３６１Ａの周縁に固定される。
【００３７】
天板３６の周縁には、複数の孔３６Ａが形成されている。また、下方側筐体３１には、側面の上端から内側に向かって延出する天板取付部３１１が形成され、この天板取付部３１１には、天板３６を固定するための複数の雌ネジ孔３１１Ａが複数の孔３６Ａと対向する位置に形成されている。そして、天板３６は、複数の孔３６Ａを介して雌ネジ孔３１１Ａに、ネジ３６２（図８参照）を螺合することで、下方側筐体３１に固定される。
【００３８】
回転規制機構５は、台座３６１の周縁における右側面側（＋Ｙ軸方向側）および左側面側（−Ｙ軸方向側）の２箇所位置に、上方側に向かって突出するように折り曲げ加工されたストッパ部５１Ａ，５１Ｂと、前面側（＋Ｘ軸方向側）および背面側（−Ｘ軸方向側）の２箇所位置に取り付けられたクリックバネ５２Ａ，５２Ｂとを備える。
ストッパ部５１Ａ，５１Ｂは、板状部材４１に当接することで、板状部材４１の所定方向への回転を規制する。具体的に、ストッパ部５１Ａは、プロジェクタ本体２における投射レンズ２２と、ＤＶＤプレーヤー３におけるＤＶＤ挿抜口３２とが同側にある状態、すなわち、図１および図４の状態において、板状部材４１に当接し、上方側から見て時計回り方向（図４中矢印Ａ）への板状部材４１の回転を規制する。また、ストッパ部５１Ｂは、投射レンズ２２と、ＤＶＤ挿抜口３２とが反対側にある状態、すなわち、図２の状態において、板状部材４１に当接し、反時計回り方向（図４中矢印Ｂ）への板状部材４１の回転を規制する。
【００３９】
クリックバネ５２Ａ，５２Ｂは、板状部材４１がストッパ部５１Ａ，５１Ｂに当接した際に、ストッパ部５１Ａ，５１Ｂにより規制される所定方向の回転とは逆方向の回転に対する抗力を板状部材４１に付加する。
したがって、板状部材４１を、ストッパ部５１Ａ，５１Ｂから離間させる方向に回転させるためには、クリックバネ５２Ａ，５２Ｂにより付加される抗力よりも大きな力を加える必要がある。すなわち、板状部材４１は、ストッパ部５１Ａ，５１Ｂに当接した状態で仮固定される。なお、本実施形態では、板状部材４１がストッパ部５１Ａに当接した状態の仮固定位置を第１仮固定位置とし、ストッパ部５１Ｂに当接した状態の仮固定位置を第２仮固定位置とする。
【００４０】
〔板状部材および回転部材の詳細構成〕
図５は、板状部材４１および回転部材４２の分解斜視図である。
板状部材４１の端部４１１（＋Ｙ軸方向側の端部）には、図５に示すように、板状部材４１の回転に際して、ストッパ部５１Ａ，５１Ｂに当接する当接部４１１Ａ，４１１Ｂが形成されている。
当接部４１１Ａは、端部４１１の隅部（＋Ｘ軸方向側の隅部）に設けられ、他の端部における隅部とは異なり、面取りされることなく直線状に形成されている。また、当接部４１１Ｂは、端部４１１の略中央部分に外側に突出して設けられている。なお、端部４１１は、当接部４１１Ａを形成するために、当接部４１１Ｂの両側部分において、Ｙ軸方向に段差が設けられている。
【００４１】
板状部材４１の端部４１２（＋Ｘ軸方向側の端部）には、略中央部分に外側に向かって突出して突出部４１３が形成されている。突出部４１３の略中央位置には、孔４１３Ａが形成され、この孔４１３Ａには、下方側に突出する略円柱形状のピン４５が嵌め込まれている。また、板状部材４１の各端部における先端側の略中央位置には、それぞれ孔４１４が形成され、これらの孔４１４には、下方側に突出する略半球形状のスペーサ４６がそれぞれ嵌め込まれている。スペーサ４６はＰＯＭ（ポリアセタール）等の動摩擦係数の低い樹脂で成形されている。また、板状部材４１の略中央位置には、略円形の部材側開口部４１Ａが形成され、この部材側開口部４１Ａの周縁には、回転部材４２を固定するための雌ネジ孔４１５が４箇所に形成されている。
【００４２】
回転部材４２の部材側延出部４２２は、部材側開口部４１Ａの内径よりも大きい外径に形成され、この部材側延出部４２２には、板状部材４１の雌ネジ孔４１５と対向する位置に、回転部材４２を固定するための孔４２２Ａが４箇所に形成されている。
回転部材４２の取付側延出部４２３は、部材側開口部４１Ａおよび取付側開口部３６１Ａの内径よりも小さい外径に形成されている。
そして、回転部材４２は、部材側開口部４１Ａに上方側から挿通され、各孔４２２Ａを介して雌ネジ孔４１５に、ネジ４４を螺合することで固定される。
【００４３】
図６は、天板３６および連結機構４を示す縦断面図である。
板状部材４１および回転部材４２は、図６に示すように、取付側開口部３６１Ａに上方側から挿通される。各スペーサ４６は、板状部材４１と台座３６１の間で挟まれるように配置され、板状部材４１と台座３６１の隙間を確保するとともに、プロジェクタ本体２を支持する。また、回転部材４２は、部材側開口部４１Ａおよび取付側開口部３６１Ａに挿通されたときに、天板３６と、取付側延出部４２３との間に間隙Ｌがあるような長さに形成されている。そして、この間隙Ｌに分割円環部材４３が回転部材本体４２１を挟み込むように挿入され、ネジ４３１にて固定されている。
【００４４】
ここで、上方側筐体２１の内部と、下方側筐体３１の内部とは、取付側開口部３６１Ａ、固定側開口部２４Ａ、および回転部材４２とにより連通している。そして、ＤＶＤプレーヤー３から出力される画像情報をプロジェクタ本体２に伝送するための画像ケーブルや、電源装置８にＡＣ電源を供給するための電源ケーブル等の信号線は、これらの取付側開口部３６１Ａ、固定側開口部２４Ａ、および回転部材４２を介して接続されている。
【００４５】
〔回転規制機構の詳細構成〕
図７は、図１および図４と同様に、プロジェクタ１が第１仮固定位置で仮固定されている状態における回転規制機構５を示す図である。
ストッパ部５１Ａは、図７に示すように、台座３６１における右側面側に設けられ、台座３６１の中央より前面側に位置している。また、ストッパ部５１Ｂは、台座３６１における左側面側に設けられ、台座３６１の略中央に位置している。そして、ストッパ部５１Ａ，５１Ｂの突出量は、板状部材４１を天板３６に固定したときに、ストッパ部５１Ａ，５１Ｂの先端位置が板状部材４１と略同じ高さとなるような突出量とされている。
【００４６】
抗力付加部材としてのクリックバネ５２Ａ，５２Ｂは、弾性材料からなる部材であり、図７に示すように、板バネ部５２１と、固定部５２２と、係止部５２３とを備える。
板バネ部５２１は、先端側に向かって拡がるように断面略Ｕ字状に折り曲げ形成された部分であり、この板バネ部５２１における一方の平面には、この平面と略直交して延出する固定部５２２が形成されている。
【００４７】
ここで、台座３６１の周縁における前面側および背面側の２箇所位置には、クリックバネ５２Ａ，５２Ｂを取り付けるためのバネ取付用開口部３６１Ｃが形成されている。クリックバネ５２Ａ，５２Ｂを台座３６１に取り付けるにあたっては、板バネ部５２１をバネ取付用開口部３６１Ｃに挿入し、固定部５２２に形成された孔（図示略）を介してバネ取付用開口部３６１Ｃにおける回転部材４２とは反対側の周縁に形成された雌ネジ孔（図示略）に、ネジ５２４を螺合することで取り付けられる。なお、クリックバネ５２Ａ，５２Ｂは、板バネ部５２１の先端側が左側面側となるように台座３６１に取り付けられる。この際、板バネ部５２１における回転部材４２側の平面は、ピン４５の回転軌道の内側にあるように取り付けられている。
【００４８】
また、クリックバネ５２Ａ，５２Ｂには、図４に示すように、固定部５２２と比較して板バネ部５２１における平面の端部が上方側に突出するように所定幅の段差が形成され、クリックバネ５２Ａ，５２Ｂが台座３６１に取り付けられた場合において、板バネ部５２１における平面が上方側に所定の突出量で突出する。また、この突出量は、板バネ部５２１における平面の端部が、板状部材４１と、ピン４５の先端との間にあるような突出量とされている。
係止部５２３は、板バネ部５２１における回転部材４２側の平面に、回転部材４２側に突出して形成された略半円筒形状の部分であり、板状部材４１が第１仮固定位置または第２仮固定位置にあるときには、ピン４５と当接し、かつ、ピン４５よりもストッパ部５１Ａ側にあるような位置に形成されている。
【００４９】
〔プロジェクタの回転動作〕
次に、プロジェクタ１の回転動作について、図８〜図１０を参照して説明する。
図８は、プロジェクタ１において、ＤＶＤプレーヤー３に対してプロジェクタ本体２を回転させている状態を示す図である。図９は、プロジェクタ１が第２仮固定位置で仮固定されている状態を示す図である。図１０は、プロジェクタ１が第２仮固定位置で仮固定されている状態における回転規制機構５を示す図である。
【００５０】
プロジェクタ１が第１仮固定位置で仮固定されている状態、すなわち、図１に示す状態において、プロジェクタ本体２を、上方側から見て時計回りに回転させるように所定の回転力を付加すると、板状部材４１は、プロジェクタ本体２の底板２４に固定されているので、プロジェクタ本体２の回転に伴って、上方側から見て時計回り方向（図７中矢印Ａ）に所定の回転力が付加される。しかしながら、プロジェクタ１が第１仮固定位置で仮固定されている状態では、ストッパ部５１Ａと、板状部材４１の当接部４１１Ａとが当接しているので、板状部材４１の回転が規制されるとともに、プロジェクタ本体２の回転が規制される。
【００５１】
また、この状態において、プロジェクタ本体２を、上方側から見て反時計回りに回転させるように所定の回転力を付加すると、板状部材４１は、プロジェクタ本体２の底板２４に固定されているので、プロジェクタ本体２の回転に伴って、上方側から見て反時計回り方向（図７中矢印Ｂ）に所定の回転力が付加される。そして、板状部材４１の回転により、ピン４５がクリックバネ５２Ａの付勢力に抗してクリックバネ５２Ａの係止部５２３を越えると、図８に示すように、プロジェクタ本体２は回転を開始する。
すなわち、板状部材４１は、第１仮固定位置にあるときには、上方側から見て時計回り方向の回転がストッパ部５１Ａにて規制されるとともに、反時計回り方向の回転がクリックバネ５２Ａにて規制される。プロジェクタ本体２が回転している際には、動摩擦係数の低いスペーサ４６が台座３６１上を摺動する。これにより、回転開始時以外ではプロジェクタ本体２の回転に必要となる力が低減される。
なお、プロジェクタ本体２を、ＤＶＤプレーヤー３に対して回転させると、天板３６を下方側筐体３１に固定するためのネジ３６２が露出する。
【００５２】
プロジェクタ本体２が、図９に示すように、第２仮固定位置まで回転すると、クリックバネ５２Ｂの板バネ部５２１における回転部材４２側の平面は、ピン４５と接触することで固定部５２２が形成された平面に近づくように押し込まれ、ピン４５を回転部材４２側に付勢する。そして、ピン４５がクリックバネ５２Ｂの係止部５２３を越えると、図１０に示すように、ストッパ部５１Ｂと、板状部材４１の当接部４１１Ｂとが当接し、プロジェクタ１は、第２仮固定位置で仮固定されている状態となる。
なお、板状部材４１は、第２仮固定位置にあるときには、上方側から見て反時計回り方向の回転がストッパ部５１Ｂにて規制されるとともに、時計回り方向の回転がクリックバネ５２Ｂにて規制される。
【００５３】
本実施形態に係るプロジェクタ１によれば、次のような効果がある。
（１）連結機構４は、板状部材４１と、回転部材４２とを備えるので、プロジェクタ本体２をＤＶＤプレーヤー３に対して回転させることができる。また、プロジェクタ１は、回転規制機構５を備えるので、板状部材４１を、ストッパ部５１Ａ，５１Ｂおよびクリックバネ５２Ａ，５２Ｂにより所定の位置に仮固定することができる。したがって、プロジェクタ１の使用者は、プロジェクタ１の設置状況に応じてＤＶＤ挿抜口３２およびＤＶＤ動作表示部３３の位置を容易、かつ、自由に変更することができる。
【００５４】
（２）上方側筐体２１の内部と、下方側筐体３１の内部とは、取付側開口部３６１Ａ、固定側開口部２４Ａ、および回転部材４２とにより連通し、ＤＶＤプレーヤー３から出力される画像情報をプロジェクタ本体２に伝送するための画像ケーブルや、電源装置８にＡＣ電源を供給するための電源ケーブル等の信号線は、これらの各開口部３６１Ａ，２４Ａ、および回転部材４２を介して接続されている。したがって、プロジェクタ１の使用者は、画像ケーブル等の信号線を外部に接続することなく、プロジェクタ１を使用することができる。また、プロジェクタ１の外部に信号線を引き回す必要がなくなるので、省スペース化を図ることができる。さらに、上方側筐体２１の底板２４および下方側筐体３１の天板３６の略中央位置に形成された各開口部３６１Ａ，２４Ａ、および回転部材４２により連通された空間を介して信号線が接続されるので、プロジェクタ本体２が回転しても信号線が絡まることがなくスムーズに回転させることができる。
【００５５】
（３）回転部材４２は、回転部材本体４２１と、取付側延出部４２３とを備え、複数の分割円環部材４３は、回転部材４２が取付側開口部３６１Ａに挿通された状態において、互いに組み合わされることで回転部材本体４２１に当接し、取付側開口部３６１Ａの周縁に固定されるので、回転部材４２の取付側開口部３６１Ａからの抜けを防止することができる。さらに、回転部材本体４２１は、板状部材４１に固定されるとともに、分割円環部材４３にて挟持されるので、板状部材４１を、分割円環部材４３に沿って回転自在とさせることができる。
【００５６】
（４）各スペーサ４６は、板状部材４１と台座３６１の間で挟まれるように配置されているので、板状部材４１と台座３６１の隙間を確保するとともに、プロジェクタ本体２を支持することができる。また、プロジェクタ本体２が回転している際には、動摩擦係数の低いスペーサ４６が台座３６１上を摺動するので、回転開始時以外ではプロジェクタ本体２の回転に必要となる力を低減させることができる。
（５）各種インタフェースコネクタおよびインレットコネクタ３５は、下方側のＤＶＤプレーヤー３に設けられているので、上方側に配置されたプロジェクタ本体２を下方側に配置されたＤＶＤプレーヤー３に対して回転させる際に、ケーブルが絡まることなどなく、スムーズに回転させることができる。
【００５７】
（６）プロジェクタ本体２をＤＶＤプレーヤー３に対して回転させている状態においては、天板３６を下方側筐体３１に固定するためのネジ３６２が露出する。したがって、プロジェクタ１の連結機構を容易に分解することができる。なお、連結機構４を分解するためには、まず、ＤＶＤプレーヤー３に対してプロジェクタ本体２を回転させることでネジ３６２を露出させて取り外し、下方側筐体３１から天板３６を取り外す。次に、分割円環部材４３を固定するためのネジ４３１を取り外し、分割円環部材４３および天板３６を回転部材４２から取り外す。そして、板状部材４１を上方側筐体２１に固定するためのネジを取り外し、上方側筐体２１から板状部材４１を取り外すことで、連結機構４を分解することができる。
【００５８】
〔実施形態の変形〕
なお、本発明は前記実施形態に限定されるものではなく、本発明の目的を達成できる範囲での変形、改良等は本発明に含まれるものである。
前記実施形態では、プロジェクタ本体２は、ＤＶＤプレーヤー３の上方側に載置されていたが、これとは逆に、画像出力装置を、プロジェクタ本体の上方側に載置するようにしてもよい。
前記実施形態では、プロジェクタ本体２およびＤＶＤプレーヤー３は、鉛直方向に積層して配置されていたが、例えば、水平方向に隣接して配置されていてもよい。要するに、プロジェクタ本体および画像出力装置は、互いに対向して配置されていればよい。
前記実施形態では、画像出力装置として、ＤＶＤプレーヤー３を例示したが、例えば、ビデオプレーヤーなどであってもよく、要するに、プロジェクタ本体に画像情報を出力するものであればよい。
【００５９】
前記実施形態では、連結機構４は、プロジェクタ本体２に固定された板状部材４１と、板状部材４１に固定されるとともに、ＤＶＤプレーヤー３に取り付けられ、板状部材４１を、ＤＶＤプレーヤー３に対して回転させる回転部材４２とを備えていたが、連結機構は、画像出力装置に固定される板状部材と、板状部材に固定されるとともに、プロジェクタ本体に取り付けられ、板状部材を、プロジェクタ本体に対して回転自在とさせる回転部材とを備えていてもよい。
【００６０】
前記実施形態では、上方側筐体２１の内部と、下方側筐体３１の内部とは、取付側開口部３６１Ａ、固定側開口部２４Ａ、および回転部材４２とにより連通していたが、プロジェクタ１の外部に信号線を引き回すことで画像ケーブル等の信号線を接続する場合には、上方側筐体２１の内部と、下方側筐体３１の内部とは、連通していなくてもよい。
前記実施形態では、回転部材４２は、天板３６に固定される分割円環部材４３にて挟持され、板状部材４１を、分割円環部材４３に沿って回転自在とさせていたが、例えば、軸受けなどを利用して回転自在とさせてもよい。要するに、板状部材を、プロジェクタ本体および画像出力装置のいずれか他方に対して回転自在とさせることができればよい。
【００６１】
前記実施形態では、各種インタフェースおよびインレットコネクタ３５は、下方側のＤＶＤプレーヤー３に設けられていたが、下方側にコネクタを設けることが設計上困難な場合などには上方側のプロジェクタ本体２に設けられていてもよい。
前記実施形態では、回転規制機構５は、ストッパ部５１Ａ，５１Ｂと、クリックバネ５２Ａ，５２Ｂを備えることにより、板状部材４１を、第１仮固定位置または第２仮固定位置に仮固定していたが、回転規制機構は、これ以外の機構を採用してもよい。例えば、クリックバネ５２Ａ，５２Ｂには、略半円筒形状の係止部５２３が回転部材４２側に突出して設けられていたが、係止部を回転部材４２とは反対側に突出させて設け、この係止部にピン４５が嵌まり込むことで仮固定するようにしてもよい。なお、板状部材の回転に制限を設けない場合には、ストッパ部および抗力付加部材は設けなくてもよい。
【００６２】
前記実施形態では、画像投射手段６は、光源装置６１から投射レンズ２２に至る形状が平面視略Ｌ字形状を有していたが、その他の形状としてもよく、例えば、平面視略Ｕ字形状を有するように構成してもよい。
前記実施形態では、プロジェクタ１は、液晶パネル６５１を３つ備える三板式のプロジェクタで構成していたが、例えば、液晶パネルを１つ備える単板式のプロジェクタで構成してもよい。また、液晶パネルを２つ備えるプロジェクタや、液晶パネルを４つ以上備えるプロジェクタとして構成してもよい。
前記実施形態では、光入射面と光射出面とが異なる透過型の液晶パネルを用いていたが、光入射面と光射出面とが同一となる反射型の液晶パネルを用いてもよい。
前記実施形態では、液晶パネルを用いて光学像を形成していたが、例えば、マイクロミラーを用いたデバイスなど、液晶パネル以外のデバイスを用いてもよい。なお、この場合には、光束入射側および光束射出側の各偏光板６５２，６５３を省略することができる。
【産業上の利用可能性】
【００６３】
本発明は、プロジェクタに利用でき、特に、プロジェクタ本体と、画像出力装置とを備えるプロジェクタに好適に利用することができる。
【図面の簡単な説明】
【００６４】
【図１】本実施形態におけるプロジェクタを前方側から見た斜視図。
【図２】前記実施形態におけるプロジェクタを後方側から見た斜視図。
【図３】前記実施形態におけるプロジェクタ本体の概略構成を示す図。
【図４】前記実施形態におけるプロジェクタを前方側から見た分解斜視図。
【図５】前記実施形態における板状部材および回転部材の分解斜視図。
【図６】前記実施形態における天板および連結機構を示す縦断面図。
【図７】前記実施形態におけるプロジェクタが第１仮固定位置で仮固定されている状態における回転規制機構を示す図。
【図８】前記実施形態におけるプロジェクタにおいて、ＤＶＤプレーヤーに対してプロジェクタ本体を回転させている状態を示す図。
【図９】前記実施形態におけるプロジェクタが第２仮固定位置で仮固定されている状態を示す図。
【図１０】前記実施形態におけるプロジェクタが第２仮固定位置で仮固定されている状態における回転規制機構を示す図。
【符号の説明】
【００６５】
１…プロジェクタ、２…プロジェクタ本体、３…ＤＶＤプレーヤー（画像出力装置）、４…連結機構、５…回転規制機構、２４Ａ…固定側開口部、４１…板状部材、４１Ａ…部材側開口部、４２…回転部材、４３…分割円環部材、５１Ａ，５１Ｂ…ストッパ部、５２Ａ，５２Ｂ…クリックバネ（抗力付加部材）、３６１Ａ…取付側開口部、４２１…回転部材本体、４２３…取付側延出部（延出部）。
【図１】
0004623059.tif 000002
【図２】
0004623059.tif 000003
【図３】
0004623059.tif 000004
【図４】
0004623059.tif 000005
【図５】
0004623059.tif 000006
【図６】
0004623059.tif 000007
【図７】
0004623059.tif 000008
【図８】
0004623059.tif 000009
【図９】
0004623059.tif 000010
【図１０】
0004623059.tif 000011